(57)【特許請求の範囲】
【請求項１】
枠と、障子ユニットとを備え、障子ユニットは戸先側の第１障子と、吊元側の第２障子と、第１障子と第２障子との間にある第３障子と、第１障子と第３障子とを回動自在に連結する第１連結部と、第３障子と第２障子とを回動自在に連結する第２連結部とを備え、第１連結部は第３障子に固定された被係合部材と、第１障子に設けられて上下方向に移動自在な軸部材とを備え、軸部材は上端に上レールとの係合溝を備え、被係合部材に係合した位置で上レールにも係合し、第１障子に設けられた操作つまみの操作により、軸部材は上方位置で被係合部材に回動自在に係合し、下方位置で被係合部材との係合が外れて第１障子と第３障子との連結を解除可能にしたことを特徴とする多枚戸。
【発明の詳細な説明】
【０００１】
【発明が属する技術分野】
本発明は、浴室ドア等の多枚戸に関する。
【０００２】
【従来の技術】
近年、高齢者や、車椅子使用者等の身体障害者が浴室を利用する場合に、介護者が高齢者等を支えながら浴室を出入りしたり、車椅子のまま浴室に出入りするケースが増えている。かかる場合には、浴室の出入口を広く取る必要があるため、三枚引き戸や、片引き戸を使用することが考えられる。
【０００３】
しかし、集合住宅等においては、一般に浴室の戸口の広さに制限があるとともに枠や障子が高価になる３枚戸の使用は困難である。また、片引き戸では３枚戸と同様に高価になるとともに袖壁部の施工に手間がかかる。従って、浴室の戸口を広くとる場合には３枚障子の折戸を使用することがある。
【０００４】
この種の折戸は、３枚の障子を召合せ部で連結しており、施工時には３枚の障子を連結した状態で同時に枠内に建て込んでいる。
一方、折戸の障子を開くときは、各障子を折り畳んで戸口の片側に寄せている。
【０００５】
【発明が解決しようとする課題】
しかし、３枚障子の折り戸の場合における戸の施工は、障子を互いに連結した障子ユニットを枠内に建て込むため、建て込み時における障子ユニットの重量は障子３枚分以上あるので取り扱い重量が重く取り扱い難いとともに、枠のレールに各障子の戸車を同時に嵌め込む必要があるため、施工し難いという問題がある。
また、浴室内にいる高齢者等が急に動けなくなった場合等に、脱衣室側から障子を緊急に外したい場合があり、折戸の障子を簡単な操作で外せるようにしたいという要求がある。
本発明は上述した事情に鑑みたものであり、一部の障子を枠に建て込んだ状態のまま他の障子を連結したり取外しできる多枚戸の提供を目的とする。
【０００６】
【課題を解決するための手段】
上記目的を達成するために、請求項１に記載の発明は、枠と、障子ユニットとを備え、障子ユニットは戸先側の第１障子と、吊元側の第２障子と、第１障子と第２障子との間にある第３障子と、第１障子と第３障子とを回動自在に連結する第１連結部と、第３障子と第２障子とを回動自在に連結する第２連結部とを備え、第１連結部は第３障子に固定された被係合部材と、第１障子に設けられて上下方向に移動自在な軸部材とを備え、軸部材は上端に上レールとの係合溝を備え、被係合部材に係合した位置で上レールにも係合し、第１障子に設けられた操作つまみの操作により、軸部材は上方位置で被係合部材に回動自在に係合し、下方位置で被係合部材との係合が外れて第１障子と第３障子との連結を解除可能にしたことを特徴とする。
【０００７】
この請求項１に記載の発明では、障子ユニットを閉じた状態において入浴中の高齢者等が浴室内で急に動けなくなった場合等の緊急時に障子ユニットから一枚の障子を取り外したい場合には、第１障子に設けてられている操作つまみを操作して、軸部材を下方に移動し第３障子の被係合部材との係合を外して第１障子と第３障子との連結を解除する。これにより、障子ユニットが閉じた状態のまま、必要に応じて第１障子を障子ユニットから外すことができる。例えば、浴室の洗い場で人が倒れている場合に、障子ユニットを通常の状態で開くと第２障子及び第３障子を折り畳もうとした際に倒れている人に当たって障子ユニットが開かなくなるおそれがあるが、本発明では障子ユニットを閉じた状態のまま第１障子を外すことができるから、そのような不都合はない。
【０００８】
一方、枠の内周に障子ユニットを建て込む際には、第２障子と第３障子の２枚の障子を連結して枠内に嵌め込み、枠のレールに２枚の障子の戸車を係合させた後、第３障子に第１障子を第１連結部で連結する。この第１連結部の連結は、第１障子の軸部材を下方位置に位置させて、第３障子に固定されている被係合部材の下に配置し、次に軸部材を下方位置から上方位置に移動させて被係合部材に係合しておこなう。このように、第１連結部の連結は軸部材を上方に移動させるだけで容易におこなうことができるとともに、第２障子と第３障子との２枚の障子を建て込んだ後に第１障子を後付けできるので、障子ユニットを分割して取り扱うことができ、取り扱い重量を小さくでき施工しやすい。
【０００９】
尚、第１障子を第３障子に連結する作業は、障子ユニットを開いた状態でおこなってもよいし、折り畳んだ状態で行ってもよい。
【００１０】
また、第１障子は第３障子に係合により連結しているから、第１障子を見付け寸法の異なるものに変更したり、デザインの異なるものに容易に変更でき、仕様や設計変更に対する自由度が高い。
【００１１】
【００１２】
軸部材は、第３障子に固定されている被係合部材に係合した位置で上レールにも係合するので、第１障子の移動を案内する係合部材を別途設ける必要がなく、部品点数を少なくできるとともに構成を簡易にできる。
【００１３】
【００１４】
【００１５】
【００１６】
【００１７】
【００１８】
【００１９】
【００２０】
【００２１】
【発明の実施の形態】
以下、本発明の実施の形態に係る多枚戸を図面を参照して説明する。図１は本発明の実施の形態にかかる多枚戸を脱衣室側から見た正面図であり、図２は図１に示す多枚戸を浴室側から見た正面図であり、図３は図１に示す多枚戸の横断面図であり、図４は図１に示す多枚戸の縦断面図であり、図５は図１に示す多枚戸における第１障子の取り外しを示す脱衣室側から見た斜視図であり、図６は障子ユニットの開閉操作を説明する斜視図であり、（ａ）は閉じ状態の図、（ｂ）は第１開き操作を示す図及び（ｃ）は第２開き操作を示す図であり、図７〜図１６は図１に示す多枚戸における各部分や部品を抜き出して示す図である。
本実施例の形態に係る多枚戸１は、浴室ドアであり、多枚戸１は、枠３と障子ユニット５とを備えている。枠３は、上枠７、下枠９、縦枠１１、１１を四方組みして浴室の開口部に取り付けられており、下枠９には、障子ユニット５の開閉を案内する下レール１３が下枠の長手方向に亘って設けられており、上枠７には上レール１４が上枠７の長手方向に亘って設けられている。
【００２２】
障子ユニット５は、本実施の形態では戸先側の第１障子１５と、吊元側の第２障子１９と、第１障子１５と第２障子１９との間にある第３障子１７との３枚の障子を連結して構成されている。第１障子１５は、その戸先側框２１に取手２３が設けられている。戸先側框２１には、取手２３の近傍にレバー２５が設けられており、レバー２５の操作により後述する係合部３３及び戸先側戸車３４を連動させてそれぞれ上下レール１３、１４から脱着可能になっている。このレバー２５は、本実施の形態では、脱衣室側及び浴室側の両方に設けているが、脱衣室側のみに設けてもよい。
【００２３】
第１障子１５と第３障子１７とは、第１連結部２７によりこれらの障子１５、１７が互いに回動自在に連結されており、第３障子１７と第２障子１９とは第２連結部２９によりこれらの障子１７、１９が互いに回動自在に連結されている。
【００２４】
第１連結部２７は図７に抜き出して示すように、第３障子１７の上端に装着により固定された被係合部材６１と、第１障子１５の上端に設けられた軸部材６３とから構成されており、被係合部材６１には第３障子との嵌合部６１ａと軸部材６３との嵌合部６１ｂとが一体に形成されている。軸部材６３は略円筒形状であり上端に上レール１４に係合する係合溝６５が形成されている。尚、被係合部材６１にも上レール１４との係合溝６１ｃが形成されており、被係合部材６１及び軸部材６３は共に上レール１４に沿って走行自在である。
【００２５】
軸部材６３は第１障子１５に対して回動自在であるとともに、コイルスプリング６７により常時上方に向けて付勢されている。軸部材６３の下端６３ａは脱衣室側に設けた操作つまみ６９（図１及び図１３参照）に連結されており、操作つまみ６９の操作により、軸部材６３が下方に移動して上レール１４との係合及び被係合部材６１との係合が解除するようになっている。
第３障子１７と第１障子１５との下端には、下レール１３に係合して下レール１３に沿って走行する戸車ユニット７１が設けられている。戸車ユニット７１は、図８に示すように、第１障子１５と第３障子１７とに跨って配置された戸車ケース７３と、戸車ケース７３に軸支された２つの車７５、７６とが設けられえている。一方の車７５は第１障子１５側にあり、他方の車７６は第３障子１７側に設けている。また、戸車ユニット７１には第１障子１５に嵌合自在な第１障子側嵌合部７７と、第３障子１７に嵌合自在な第３障子側嵌合部７８とが設けられており、第１障子側嵌合部７７は第１障子１５に対して回動自在である。
【００２６】
第２連結部２９は、図３に示すように、第３障子１７と第２障子１９を直線状に並んだ状態からこれらの障子１７、１９を室内側に向けて角度を形成するように回動可能である。
【００２７】
第１障子１５の戸先框２１には、連動部材３５が設けられており、レバー２５の操作により連動部材３５を介して戸先側戸車３４と戸先側係合部材３３がそれぞれ上下動して戸先側戸車３４が下レール１３に脱着するとともに戸先側係合部材３３も上レール１４に脱着するようになっている。連動部材３５は、レバー２５の操作により戸先側戸車３４を上方に移動させるとともに戸先側係合部材３３を下方に移動して、戸先側戸車３４を下レール１３から外し且つ戸先側係合部３３を上レール１４から外すようになっている。図９に示すように、戸先側戸車３４には、その上端に埋め込まれたナット３４ａに連動部材３５の下端が螺合により固定されている。
【００２８】
図１０に示すように、戸先側係合部３３には、その上端に上レール１４に係合して上レール１４に走行が案内される係合溝３３ａが形成されており、戸先側係合部３３はコイルスプリング３３ｂにより常時上方に付勢されている。また、戸先側係合部３３の下端３３ｃは連動部材３５の上端が連結されており、連動部材３５の上下動に連動するようになっている。
【００２９】
一方、上枠７には、その浴室側に第２障子１９と第３障子１７の折り畳みを案内するけり出し部４１（図２及び図１６参照）と、戻り案内部５１（図２及び図１５参照）とが設けられている。けり出し部４１は、第２障子１９の戸先側框に設けたガイド軸４３を出入り方向に沿って斜めに案内し、第１障子１５がレール１３、１４方向に沿って移動したときに第２障子１９と第３障子１７との折り畳みを容易にするとともに、第１障子１５を引き操作により閉じたときに第３障子１７と第２障子１９とが面一になるように案内するものである。
【００３０】
戻り案内部５１は第２障子１９の回動の戻りを案内するものであり、第２障子１９の吊元側框には戻り案内部５１に係合するガイド軸４４を設けている。この戻り案内部５１は、第２障子１９の回動方向に沿った円弧状の溝部５５と上枠７に沿った直線状の溝部５７とを備えており、円弧状の溝部５５は第２障子１９の回動及び戻りを案内するとともに、直線状の溝部５７は、第１障子１５を閉じ方向に移動したときに、これに連動する第２障子１９の移動を規制し、第２障子１９の吊元側にある回動軸のずれやぶれを防止する。
【００３１】
ガイド軸４３、４４はそれぞれ、図１１に示すように、第２障子１９において竪框の浴室側にねじとめされているが、竪框には上下方向の位置調整溝４６が設けられており、ガイド軸４３、４４の取り付け位置を調整可能になっている。この位置調整溝４６にはカバー８１（図１２参照）が嵌合されており、位置調整溝４６及びガイド軸４３、４４のとめねじ４８を覆っている。これにより、ねじ４８が外から見えないので外観が良いとともに第三者がねじ４８を勝手に操作するのが防止できる。更に、カバー８１には框内に位置してガイド軸４３を受ける受け部８３が形成されており、ねじ４８が緩んだ場合等にガイド軸４３、４４が下がるのを防止している。尚、カバー８１の略中央に突設しているのは位置決めピン８１ａである。
【００３２】
また、第１障子１５の戸先側にはロックレバー９０が脱衣室側と浴室側とに設けられており（図１及び図２参照）、ロックレバー９０の操作により上枠７にロックピン９２が係脱自在になっている。即ち、浴室及び脱衣室のいずれの側からもロックをかけたり外したりできるようになっている。ロックレバー９０により障子ユニット５をロックした場合には、図１に抜き出して示すように、ロックピン９２は、上レール１４の浴室側に設けられたストッパ９２ａの横に位置して開き方向に移動できなくなっている。従って、ロックレバー９０は上レール１４の浴室側に位置するので、ロックレバー９０によりロック状態を解除しなくても第１障子１５は障子ユニット５を閉じた状態のまま浴室側に倒すようにして取り外すことができる。
【００３３】
図３に示すように、本実施の形態では障子ユニット５の閉じ状態において、第２障子１９と竪枠１１との間には助走空間Ｓが形成されており、引き操作により開くときに障子ユニット５に慣性力を付けて第２障子１９と第３障子１７との折れ畳みがしやすいようにしている。この助走空間は本実施の形態では指詰め防止の寸法も考慮して５１ｍｍに設定している。
【００３４】
尚、図１において第３障子１７の脱衣室側にある符号９４は、操作つまみ６９の注意書きを表示したものであり、図２に示すように第３障子の浴室側にあるねじ９６は、ラッチ９５（図１４参照）を固定するねじである。
【００３５】
次に、本実施の形態にかかる多枚戸１の作用について説明する。障子ユニット５の閉じ状態では、図３及び図６（ａ）に示すように、第１障子１５、第３障子１７、第２障子１９は一直線状に並んだ状態にあり、吊元側における竪枠１１との間に助走空間Ｓを形成している。
【００３６】
第１開き操作では、ロックピン９２の係合を外し、戸先側戸車３４を下レール１３に係合させ係合部３３を上レール１４に係合させた状態で、取手２３を持って第１障子１５をレール１３、１４に沿って引き、戸口を開く。この第１開き操作では、図６（ｂ）に示すように、第１障子１５を僅かに引くと、例えば約３０ｍｍスライドさせると、けりだし部４１が軸部４３を浴室側に突き出すように案内し、第２連結部２９を浴室側にけり出す。これにより、第２連結部２９が容易に浴室側に移動して、第２連結部２９から第２障子１９と第３障子１７とが屈折され易くなり、第１開き操作による第１障子１５の引き開き操作に連動して第３障子１７と第２障子１９とを容易に折り畳むことができる。
【００３７】
そして、第１障子１５を更に引いて、第１障子１５を引き終わった状態では、図６（ｂ）に示すように、出入り口寸法は健常者の出入りに十分な寸法になっている。
【００３８】
このように、第１開き操作では、３枚の障子のうち第３障子１７と第２障子１９とは互いに折り重なる折り戸になっているので、出入り口の寸法は、２枚引き戸の場合よりも広く取ることができる。また、第１開き操作では、レール１３、１４に沿った引き操作による開閉を行なうことができ、高齢者等も操作しやすい。
【００３９】
次に、更に出入り口を広くしたい場合には、第２開き操作をする。この第２開き操作では、第１障子１５を出入方向に回動させて全開操作するので、出入り口を第１開き操作よりも更に広くとることができる。この第２開き操作では、第１開き操作後、レバー２５を操作して、戸先側戸車３４を下レール１３から、係合部３３を上レール１４からそれぞれ外して、第１障子１５と枠３との係合を解除する。
【００４０】
これにより、第１障子１５は、第１連結部２７を中心にして回動可能となり、第１障子１５を浴室側に向けて回動して、障子ユニット５を全開する（図６（ｃ））。この第２開き操作は、レバー２５を操作して係合部３３及び戸先側戸車３４と、レール１３、１４との係合を解除するだけで容易にできる。第１障子１５は第１連結部２７を中心として回動し、第１障子１５を浴室側に突き出す。従って、出入り開口は、第１開き操作による引き開きの開口寸法（図６（ｂ））よりも第１障子の略巾寸法分だけ広くなる。
【００４１】
一方、第２開き操作により、第１障子１５を浴室側に回動することにより、障子ユニット５全体は、折り戸状態になり、略一枚の障子の巾分が出巾寸法になる。
【００４２】
本実施の形態では、通常は、第１開き操作（引き操作）により出入り口を開閉できるとともに、必要に応じて第２開き操作を行なって全開する。この第２開き操作（全開操作）は、障子ユニット５全体を回動させるものではなく、第１障子１５だけを回動させるので、操作しやすい。
【００４３】
また、下レール１３と上レール１４とはそれぞれ一本設ければよく、従来の引き戸のように障子の数だけ上レール１４と下レール１３とを必要としないため、枠３の見込み巾を小さくできる。
【００４４】
尚、障子ユニット５を閉じるときには、上述した工程とは逆に、第１障子１５を回動してレール１３、１４に戻し、レバー２５を操作して戸先側係合部３３を上レール１４に係合させるとともに戸先側戸車３４を下レール１３に係合させた後、取手２３をレール１３、１４方向に沿って引き、障子ユニット５を閉じる。
【００４５】
次に、第１障子１５の取り外しについて説明する。障子ユニット５を閉じた状態において入浴中の高齢者等が浴室内で急に動けなくなった場合等において、緊急に一枚の障子を外したい場合には、ロックピン９２を解除し且つ上述した第２操作と同様にレバー２５を回して戸先側係合部３３と上レール１４との係合を解除するとともに戸先側戸車３４と下レール１３との係合を解除する。更に、第１障子１５の操作つまみ６９を下げ、軸部材６３を下方に移動し第３障子１７の被係合部６１との係合を外す。これにより、第１障子１５と第３障子１７との連結が解除されるので、取手２３を持って第１障子１５の上端を浴室側に押し倒すことにより第１障子を外すことができる。即ち、本実施の形態では、障子ユニット５を閉じた状態のまま、必要に応じて第１障子１５を障子ユニット５から外すことができる。
【００４６】
一方、多枚戸１の施工は、障子ユニット５を３枚の障子１５、１７、１９を連結したまま枠３内に建て込んでもよいが、障子ユニット５を分割して建て込んでも良い。この場合、第２障子１９と第３障子１７の２枚の障子を第２連結部２９で連結した状態のまま枠３内に嵌め込み、上下のレール１３、１４に係合部３６、３８及び戸車ユニット７１を係合させた後、第３障子１７に第１障子１５を第１連結部２７で連結する。第１連結部２７の連結は、第１障子１５の軸部材６３を下方位置に位置させて、第３障子１７に固定されている被係合部材６１の下に配置し、次に軸部材６３を下方位置から上方位置に移動させて被係合部材６１に係合する。同時に、戸車ユニット７１に第１障子１５を上から乗せるようにして第１障子１５の下端を戸車ユニット７１に係合する。このように、第２障子１９と第３障子１７との２枚の障子を建て込んだ後に第１障子１５を後付けできるので、障子ユニット５を分割して取り扱うことができ、施工時における荷重を分散でき、扱い易く施工しやすい。
【００４７】
第１障子１５を第３障子１７に連結する作業は、障子ユニット５を開いた状態でおこなってもよいし、折り畳んだ状態で行ってもよい。
【００４８】
また、第１障子１５は第３障子に簡単に後付けできるから、形状やデザインの異なるもの、例えば、第１障子１５にパネルのないものを使用して、障子ユニット５全体の見付け幅を小さくしたり、仕様や設計変更に応じて障子ユニット５の寸法の変更が容易にできる。
【００４９】
本発明は、上述した実施の形態に限定されず、本発明の要旨を逸脱しない範囲で種々変形可能である。例えば、障子ユニット５を構成する障子は、３枚に限らず、それ以上の枚数ならば何枚でもよい。
【００５０】
上レール１４との戸先側係合部３３及び下レール１３に係合する戸先側車３４は、レバー２５により同時に連動させることに限らず、それぞれ別個に操作して各レール１４、１３に係脱するものであってもよい。
【００５１】
多枚戸１は、浴室のドアに限らず、他の出入り口のドアや間仕切りとして用いるものであってもよい。
【００５２】
【発明の効果】
請求項１に記載の発明によれば、障子ユニットを閉じた状態において入浴中の高齢者等が浴室内で急に動けなくなった場合等の緊急時に障子ユニットから第１障子を外したい場合には、操作つまみの操作により第１障子と第３障子との連結を解除できるので、障子ユニットが閉じた状態のまま、第１障子を障子ユニットから外すことができる。
枠に障子ユニットを建て込む際には、第２障子と第３障子との２枚の障子を建て込んだ後に第１障子を後付けできるので、障子ユニットを分割して取り扱うことができ、取り扱い重量を小さくでき施工しやすい。
【００５３】
また、第１障子は第３障子に係合により連結しているから、第１障子を見付け寸法の異なるものに変更したり、デザインの異なるものに容易に変更でき、仕様や設計変更に対する自由度が高い。
【００５４】
軸部材は第３障子に固定されている被係合部材に係合した位置で上レールにも係合するので、第１障子の移動を案内する係合部材を別途設ける必要がなく、部品点数を少なくできるとともに構成を簡易にできる。
【００５５】
【００５６】
【図面の簡単な説明】
【図１】本発明の実施の形態にかかる多枚戸を脱衣室側から見た正面図である。
【図２】図１に示す多枚戸を浴室側から見た正面図である。
【図３】図１に示す多枚戸の横断面図である。
【図４】図１に示す多枚戸の縦断面図である。
【図５】図１に示す多枚戸における第１障子の取り外しを示す脱衣室側から見た斜視図である。
【図６】障子ユニットの開閉操作を説明する斜視図であり、（ａ）は閉じ状態の図、（ｂ）は第１開き操作を示す図及び（ｃ）は第２開き操作を示す図である。
【図７】第１連結部は、第１連結部を示す図であり、（ａ）は上面図、（ｂ）は（ａ）におけるＸ−Ｘ断面図、（ｃ）は正面図である。
【図８】戸車ユニットの図であり、（ａ）は側面図、（ｂ）は正面図である。
【図９】戸先側戸車の図であり、（ａ）は上面図、（ｂ）は側面図、（ｃ）は正面図である。
【図１０】戸先側係合部材の図であり、（ａ）は側面図、（ｂ）は正面図である。
【図１１】ガイド軸の収まり状態を示す図であり、（ａ）は縦断面図、（ｂ）は横断面図である。
【図１２】図１１に示すカバーの図であり、（ａ）は上面図、（ｂ）は正面図、（ｃ）は側面図である。
【図１３】操作つまみを示す図であり、（ａ）は正面図、（ｂ）は側面図である。
【図１４】
ラッチ部分を示す断面図である。
【図１５】けり出し案内部の図であり、（ａ）は側面図、（ｂ）は上面図である。
【図１６】戻り案内部の図であり、（ａ）は側面図、（ｂ）は上面図である。
【符号の説明】
１    多枚戸
３    枠
５    障子ユニット
１３  下レール
１４  上レール
１５  第１障子
１７  第３障子
１９  第２障子
２７  第１連結部
２９  第２連結部
３３  戸先側係合部
３４  戸先側戸車
３５  連動部材
４１  けり出し部
４３  ガイド軸
５１  戻り案内部
６１  被係合部材
６３  軸部材
６５  係合溝
６９  操作つまみ
７１戸車ユニット
８１  カバー
【図１】
0003755465.tif 000002
【図２】
0003755465.tif 000003
【図３】
0003755465.tif 000004
【図４】
0003755465.tif 000005
【図５】
0003755465.tif 000006
【図６】
0003755465.tif 000007
【図７】
0003755465.tif 000008
【図８】
0003755465.tif 000009
【図９】
0003755465.tif 000010
【図１０】
0003755465.tif 000011
【図１１】
0003755465.tif 000012
【図１２】
0003755465.tif 000013
【図１３】
0003755465.tif 000014
【図１４】
0003755465.tif 000015
【図１５】
0003755465.tif 000016
【図１６】
0003755465.tif 000017